【手続補正書】
【提出日】平成15年9月18日(2003.9.18)
【手続補正１】
【補正対象書類名】明細書
【補正対象項目名】特許請求の範囲
【補正方法】変更
【補正の内容】
【特許請求の範囲】
【請求項１】
あるパターンで予備弱体化された部分を有するトリムピースを構成し、前記トリムピースの予備弱体化部分により被覆される、エアバッグ装置用の１つまたは複数の展開ドアを形成する方法であって、
剛性基板パネルを、その基板パネルに形成された開口部内に設けられた１つまたは複数のドアパネルとともに形成し、前記１つまたは複数のドアパネルの縁部の一部に沿って延出すると共に前記基板パネルの縁に沿って延出する隙間を形成するステップであって、その隙間が前記基板パネル及び１つまたは複数のドアパネルを完全に延出するようにするステップを備え、
前記基板パネルを形成するステップが、前記１つまたは複数のドアパネルをその一方の側部に沿って前記基板パネルに結合してヒンジを形成するステップを含み、
更に、
前記基板パネルと前記１つまたは複数のドアパネルとを、前記基板パネルと前記１つまたは複数のドアパネルとを横断するように延出して前記隙間パターンを橋絡する１つまたは複数の被覆層により被覆するステップと、
前記被覆層の内側を前記隙間を通して切断して、前記被覆した１つ又は複数の被覆層のうち少なくとも一つの被覆層を予備弱体化するステップと、を含む方法。
【請求項２】
前記１つまたは複数の被覆層を前記隙間に沿って部分的に予備弱体化するステップをさらに含む請求項１記載の方法。
【請求項３】
前記隙間を横断して延在する１つまたは複数の橋絡タブを成形し、該橋絡タブにより前記１つまたは複数のドアパネルを前記基板パネルの隣接部分に結合するステップをさらに含む請求項１又は２記載の方法。
【請求項４】
前記開口部の外周部を補強枠で補強するステップをさらに含む請求項１〜３いずれかに記載の方法。
【請求項５】
前記１つまたは複数のドアパネルの前記ヒンジを補強するステップをさらに含む請求項１〜４いずれかに記載の方法。
【請求項６】
前記１つまたは複数のドアパネルを補強するステップをさらに含む請求項１〜５いずれかに記載の方法。
【請求項７】
あるパターンで予備弱体化された部分を有するトリムピースを構成し、前記トリムピースの予備弱体化部分により被覆される、エアバッグ装置用の１つまたは複数の展開ドアを形成する方法であって、
開口部を有する剛性基板パネルを形成するステップであって、１つまたは複数のドアパネルを前記開口部内に凹設し、前記１つまたは複数のドアパネルの隣接部分の間、及び前記１つまたは複数のドアパネルと前記開口部の縁部との間に、予め決められた隙間を形成し、前記１つまたは複数のドアパネルを、その一方の側部に沿って前記基板パネルに結合してヒンジを形成するステップと、
前記基板パネルを、前記１つまたは複数のドアパネル及びそれらドアパネル間の前記隙間を横断して延出する１つまたは複数の被覆層により被覆するステップと、
前記隙間に少なくとも部分的に沿って、前記被覆層のうち少なくとも１つの被覆層の内側に刻み目を形成することにより、前記被覆した被覆層を予備弱体化するステップと、を含む方法。
【請求項８】
あるパターンで予備弱体化された部分を有するトリムピースを構成し、前記トリムピースの予備弱体化部分により被覆される、エアバッグ装置用の二つの展開ドアを形成する方法であって、
剛性基板パネルを形成するステップと、
二つのドアパネルを前記基板パネルに形成された開口部内に設け、上記ドアパネルの隣接部分の間に隙間を設け、該隙間が上記ドアパネルを完全に延出するようにするステップとを備え、
前記ドアパネルを設けるステップが、前記二つのドアパネルを、それぞれその一側に沿って前記基板パネルの隣接部分に結合してヒンジを形成するステップを含み、
更に、
前記基板パネル及びドアパネルを、前記基板パネルと前記ドアパネルとを横断して延出し、それらの間の前記隙間を橋絡する１つまたは複数の被覆層により被覆するステップと、
前記１つ又は複数の被覆層の内側を前記ドアパネルの間の隙間を通して切断して、前記被覆した１つ又は複数の被覆層のうち少なくとも一つの被覆層を予備弱体化するステップと、を含む方法。
【請求項９】
あるパターンで予備弱体化された部分を有するトリムピースを構成し、前記トリムピースの予備弱体化部分により被覆される、エアバッグ装置用の一対の展開ドアを形成する方法であって、
開口部を有する剛性基板パネルを形成し、一対のドアパネルを前記開口部内に凹設し、上記一対のドアパネルの隣接部分の間に所定の隙間を形成し、各ドアパネルを、それぞれその一側に沿って前記基板パネルに結合してヒンジを形成するステップと、
前記基板パネルを、前記ドアパネル及びそれらドアパネル間の隙間を横断して延出する１つまたは複数の被覆層により被覆するステップと、
前記被覆層のうち１つまたは複数の被覆層の内側に、前記隙間に少なくとも部分的に沿って刻み目を形成することにより前記被覆層のうち１つ又は複数を予備弱体化するステップと、を含む方法。
【請求項１０】
あるパターンで予備弱体化された部分を有するトリムピースを構成し、前記トリムピースの予備弱体化部分により被覆される、エアバッグ装置用の１つまたは複数の展開ドアを形成する方法であって、
剛性基板パネルを、その基板パネル内に設けられた１つまたは複数の一体ドアパネルとともに形成し、前記１つまたは複数のドアパネルの縁部の一部に沿って延出すると共に前記基板パネルの縁に沿って延出する、あるいは前記１つまたは複数のドアパネル間に沿って延出する隙間を形成するステップであって、その隙間が前記基板パネル及び１つまたは複数のドアパネルを完全に延出するようにするステップを備え、
前記基板パネルを形成するステップが、前記１つまたは複数のドアパネルをその一方の側部に沿って前記基板パネルに結合してヒンジを形成するステップを含み、
更に、
前記基板パネルと前記１つまたは複数のドアパネルとを、前記基板パネルと前記１つまたは複数のドアパネルとを横断するように延出して前記隙間パターンを橋絡する１つまたは複数の被覆層により被覆するステップと、
前記被覆層の少なくとも１つの内側を前記隙間を通して切断して、前記被覆した１つ又は複数の被覆層のうち少なくとも一つの被覆層を予備弱体化するステップと、を含む方法。
【手続補正２】
【補正対象書類名】明細書
【補正対象項目名】００３２
【補正方法】変更
【補正の内容】
【００３２】
基板パネルの形成は、射出成形、注入成形または熱成形など、いくつかの方法で行うことができる。基板パネルに好適な材料は、熱硬化性および熱可塑性ポリマーを含むが、木繊維および金属など、その他の材料を使用することもできる。１つまたは複数のドアパネルは、基板パネルと一体製造する（つまりドアと基板とを１ピースとして同時に成形する）か、または個々に製造する（つまり基板パネルをドア開口部とともに成形して、その後ドアパネルを基板パネルに取り付ける（凹設する））ことができる。１つまたは複数のドアパネル、および特にヒンジは、剛性または可撓性材料( 硬質プラスチック、スクリム織物、金属など) でさらに補強することができる。こうした補強は、基板パネルを成形するときに行う。つまりスクリム織物と一体展開ドアヒンジとを同時成形するか、または基板ドアパネルの成形後に行うことができる。ドアパネルの側部と基板パネルとの間の隙間間隔は、2 つのパネルまたは部分を結合する材料が存在しないことで形成することができる。基板パネルと一体であるか、または別個の任意の補強枠は、ドア開口部外周の外側および周囲に延在するように配置することもできる。あるいは、基板パネルは、ドア外周部の周囲に位置する固締具またはボルトでエアバッグキャニスタに取り付けることができる。